(57)【要約】メールサーバ２０はメッセージを受信するとＳＭＳＣ３０に受信通知を送信させる。携帯電話端末装置６０のダイジェスト取得部２１１は受信通知に応じてメールサーバ２０にメッセージについての情報（ダイジェスト情報）を要求する。制御部２１４は、ダイジェスト情報に対するユーザの指示に応じて、メッセージ取得部２１２にメッセージの部分毎に受信を指示する。この結果、メッセージを効率的に伝送することができ、無用なトラフィックの低減に寄与することができる。
2004098137.tif 000002
【特許請求の範囲】
【請求項１】
通信サーバ装置を介して通信端末装置が通信を行う通信方法であって、
前記通信サーバ装置が、前記通信端末装置へ伝達すべきメッセージ情報を受信したこと示す受信通知を前記通信端末装置へ向けて送信する受信通知工程と；
前記通信端末装置が、前記受信通知に応じて、前記メッセージ情報のダイジェストとして希望する情報構成に関する情報であるダイジェスト構成情報をパラメータとするダイジェスト要求を前記通信サーバ装置へ向けて送信するダイジェスト要求工程と；
前記通信サーバ装置が、前記ダイジェスト要求に応じ、前記ダイジェスト構成情報に基づいてダイジェスト情報を組み立て、前記組み立てられたダイジェスト情報を前記通信端末装置へ向けて送信するダイジェスト情報通知工程と；を備えるメール通信方法。
【請求項２】
請求項１に記載の通信方法において、
前記ダイジェスト構成情報は、予め前記通信端末装置内に設定される。
【請求項３】
請求項１に記載の通信方法において、
前記ダイジェスト構成情報は、ダイジェスト要求工程に先立って、前記通信端末装置の利用者の指令に従って作成される。
【請求項４】
請求項１に記載のメール通信方法において、
前記ダイジェスト情報を受けた前記通信端末装置が、受信を希望する前記メッセージ情報の部分ごとに、部分指定パラメータを伴うメッセージ部分送信要求を前記通信サーバ装置へ向けて送信するメッセージ部分要求工程と；
前記通信サーバ装置が、前記メッセージ部分送信要求に応じて、前記部分指定パラメータで指定された部分を前記通信端末装置へ向けて送信するメッセージ部分通知工程と；を更に備える。
【請求項５】
請求項４に記載のメール通信方法において、
前記メッセージ部分送信要求は、前記部分指定パラメータにより指定された部分の削除を要求するメッセージ部分削除要求パラメータを更に伴う。
【請求項６】
請求項１に記載のメール通信方法において、
前記メッセージ情報のサイズが、前記通信端末装置が一度に受信できる最大サイズよりも小さい場合に、前記メッセージ情報の全体の送信要求であるメッセージ全体送信要求を前記通信サーバ装置へ向けて送信するメッセージ全体送信要求工程と；
前記通信サーバ装置が、前記メッセージ全体送信要求に応じて、前記メッセージ情報の全体を送信するメッセージ全体通知工程と；を更に備える。
【請求項７】
請求項６に記載のメール通信方法において、
前記メッセージ全体送信要求は、前記メッセージ情報全体の削除を要求するメッセージ全体削除要求パラメータを更に伴う。
【請求項８】
通信サーバ装置を介して通信を行う通信端末装置であって、
前記通信サーバ装置が受信した前記通信端末装置へ伝達すべきメッセージ情報のダイジェストとして希望する情報構成に関する情報であるダイジェスト構成情報を格納するダイジェスト構成情報格納手段と；
前記サーバ装置から通知された前記通信端末装置へ伝達すべきメッセージ情報の受信通知に応じて、前記ダイジェスト構成情報パラメータとするダイジェスト要求を前記通信サーバ装置へ向けて送信するダイジェスト要求手段と；
前記ダイジェスト要求に応じて前記通信サーバ装置から送信されたダイジェスト情報を受信するダイジェスト受信手段と；を備える通信端末装置。
【請求項９】
請求項８に記載の通信端末装置において、
前記受信したダイジェスト情報を表示するダイジェスト表示手段を更に備える。
【請求項１０】
請求項９に記載の通信端末装置において、
前記ダイジェスト表示手段に表示された前記ダイジェスト情報を見た利用者による指令に応じて、前記メッセージ情報中において受信を希望する部分ごとに、部分指定パラメータを伴うメッセージ部分送信要求を前記通信サーバ装置へ向けて送信するメッセージ部分要求手段と；
前記メッセージ部分送信要求に応じて前記通信サーバから送信された前記メッセージ情報の部分を受信するメッセージ受信手段と；を更に備える。
【請求項１１】
請求項８に記載の通信端末装置において、
前記メッセージ情報中に存在していたのであれば受信を希望する、前記メッセージ情報の少なくとも１つの部分を指定する部分指定情報を格納する部分指定情報格納手段と；
前記部分指定情報及び前記ダイジェスト情報に基づいて、前記メッセージ情報において受信を希望する部分ごとに、部分指定パラメータを伴うメッセージ部分送信要求を前記通信サーバ装置へ向けて送信するメッセージ部分要求手段と；
前記メッセージ部分送信要求に応じて前記通信サーバから送信された前記メッセージ情報の部分を受信するメッセージ受信手段と；を更に備える。
【請求項１２】
請求項８に記載の通信端末装置において、
前記メッセージ情報のサイズが一度に受信できる最大サイズよりも小さい場合に、前記メッセージ情報の全体の送信要求であるメッセージ全体送信要求を前記通信サーバ装置へ向けて送信するメッセージ全体要求手段と；
前記メッセージ全体送信要求に応じて前記通信サーバから送信された前記メッセージ情報の全体を受信するメッセージ受信手段と；を更に備える。
【請求項１３】
請求項８〜１２のいずれか一項に記載の通信端末装置において、
前記通信サーバ装置との通信経路に配置される移動通信網の基地局との間で無線通信を行う無線通信手段を更に備える。
【請求項１４】
通信端末装置による通信の便宜を図る通信サーバ装置であって、
前記通信端末装置へ伝達すべきメッセージ情報を受信したこと示す受信通知を前記通信端末装置へ向けて送信する受信通知手段と；
前記通信端末装置から送信された、前記メッセージ情報のダイジェストとして希望する情報構成に関する情報であるダイジェスト構成情報をパラメータとするダイジェスト要求に応じて、前記ダイジェスト構成情報に基づいてダイジェスト情報を組み立て、前記組み立てられたダイジェスト情報を前記通信端末装置へ向けて送信するダイジェスト情報通知手段と；を備える通信サーバ装置。
【請求項１５】
請求項１４に記載の通信サーバ装置において、
前記通信端末装置が受信を希望する前記メッセージ情報の部分ごとに、前記通信端末装置が送信した部分指定パラメータを伴うメッセージ部分送信要求に応じて、前記部分指定パラメータにより指定に示された部分を前記通信端末装置へ向けて送信するメッセージ部分送信手段；を更に備える。
【請求項１６】
請求項１５に記載の通信サーバ装置において、
前記メッセージ部分要求が前記部分指定パラメータにより指定された部分の削除を要求するメッセージ部分削除パラメータを更に伴う場合に、前記メッセージ部分送信手段による送信後に、前記部分を削除するメッセージ部分削除手段を更に備える。
【請求項１７】
請求項１５に記載の通信サーバ装置において、
前記通信端末装置が送信した前記メッセージ情報全体の送信の要求であるメッセージ全体送信要求に応じて、前記メッセージ情報の全体を送信するメッセージ全体送信手段を更に備える。
【請求項１８】
請求項１７に記載の通信サーバ装置において、
前記メッセージ全体送信要求が前記メッセージ情報の全体の削除を要求するメッセージ全体削除パラメータを更に伴う場合に、前記メッセージ部分送信手段による送信後に、前記メッセージ情報の全体を削除するメッセージ全体手段を更に備える。
【請求項１９】
通信サーバ装置を介して通信端末装置が通信を行う通信システムであって、
前記通信端末装置は、
前記通信サーバ装置が受信した前記通信端末装置へ伝達すべきメッセージ情報のダイジェストとして希望する情報構成に関する情報であるダイジェスト構成情報を格納するダイジェスト構成情報格納手段と、
前記サーバ装置から通知された前記通信端末装置へ伝達すべきメッセージ情報の受信通知に応じて、前記ダイジェスト構成情報パラメータとするダイジェスト要求を前記通信サーバ装置へ向けて送信するダイジェスト要求手段と；
前記ダイジェスト要求に応じて前記通信サーバ装置から送信されたダイジェスト情報を受信するダイジェスト受信手段と；を備え、
前記通信サーバ装置は、
前記通信端末装置へ伝達すべきメッセージ情報を受信したこと示す受信通知を前記通信端末装置へ向けて送信する受信通知手段と；
前記通信端末装置から送信された、前記メッセージ情報のダイジェストとして希望する情報構成に関する情報であるダイジェスト構成情報をパラメータとするダイジェスト要求に応じて、前記ダイジェスト構成情報に基づいてダイジェスト情報を組み立て、前記組み立てられたダイジェスト情報を前記通信端末装置へ向けて送信するダイジェスト情報通知手段と；を備える通信システム。
【発明の詳細な説明】
【技術分野】  本発明は、通信方法、通信端末装置、通信サーバ装置及び通信システムに係り、より詳しくは、メール等によるメッセージの通信を行う通信方法、当該通信方法を使用するための通信端末装置及び通信サーバ装置、並びに当該通信方法を使用する通信システムに関するものである。
【背景技術】  インターネット等のＴＣＰ／ＩＰを用いたネットワーク上でメッセージの送受信を行うプロトコルとしてＳＭＴＰとＰＯＰ３が知られており（例えば、『Ｊｏｎａｔｈａｎ  Ｂ．Ｐｏｓｔｅｌ、「ＲＦＣ−８２１」、１９８２年８月、インターネット＜ＵＲＬ：ｈｔｔｐ：／／ｗｗｗ．ｉｅｔｆ．ｏｒｇ／ｒｆｃ／ｒｆｃ０８２１．ｔｘｔ＞、ｐ．２〜５』、及び、『Ｊ．Ｍｙｅｒｓ、Ｍ．Ｒｏｓｅ、「ＲＦＣ−１９３９」、１９９６年５月、インターネット＜ＵＲＬ：ｈｔｔｐ：／／ｗｗｗ．ｉｅｔｆ．ｏｒｇ／ｒｆｃ／ｒｆｃ１９３９．ｔｘｔ＞、ｐ．２〜４』参照）、広く普及している。
このＳＭＴＰ／ＰＯＰ３では、送信メッセージは、送信側の装置からＳＭＴＰサーバ宛てに送信され、ネットワークを介して受信側のＰＯＰ３サーバのメールボックスに転送される。受信側の装置は、ＰＯＰ３サーバにアクセスし、メールボックスからメッセージを取得し、受信したメッセージをメールボックスから削除する。
ところが、移動通信網で用いられる携帯電話端末装置では、ＭＰＵの性能，メモリ容量あるいは無線回線の伝送速度等の制約からＳＭＴＰクライアント及びＰＯＰ３クライアントをそのまま実装するのが困難な場合がある。このため、携帯電話端末装置とメールサーバの間に、ＳＭＴＰ／ＰＯＰ３との変換等を行うゲートウェイ装置を設け、このゲートウェイ装置と携帯電話端末装置との間では、比較的処理負荷の小さい独自プロトコルでメッセージを伝送することとして、携帯電話端末装置にメールサービスを提供するシステムが知られている（例えば、特開２００１−１９７５５３号（第８−１０頁、図１）参照）。
このようなメールサービスでは、ＰＯＰ３サーバがメッセージを受信した際に、その旨を示す短いメッセージ（例えば、３８４バイト以下の受信通知）を独自のプロトコルで携帯電話端末装置に送信する。そして、携帯電話端末装置の表示部に表示された当該受信通知を見たユーザからの指示等に応じて携帯電話端末装置がメールサーバにメッセージを要求する。この要求に応じてメールサーバからメッセージを携帯電話端末装置に供給するようになっている。
一方、受信通知に相当する短いメッセージ（例えば、５１２バイト以下のショートメール）をメッセージの本文として扱うメールサービスを提供している事業者も存在する。また、第三世代のデジタル移動通信システムにおいても、最大１４０オクテット（２バイトコードで７０文字分）のショートメッセージを携帯電話端末装置に送信するサービスが規定されている（「３ＧＰＰ  ＴＳ  ２３．０４０  Ｔｅｃｈｎｉｃａｌ  ｒｅａｌｉｚａｔｉｏｎ  ｏｆ  ｔｈｅ  Ｓｈｏｒｔ  Ｍｅｓｓａｇｅ  Ｓｅｒｖｉｃｅ（ＳＭＳ）」、及び「３ＧＰＰ  ＴＳ  ２４．０１１  Ｐｏｉｎｔ−ｔｏ−Ｐｏｉｎｔ（ＰＰ）Ｓｈｏｒｔ  Ｍｅｓｓａｇｅ  Ｓｅｒｖｉｃｅ（ＳＭＳ）ｓｕｐｐｏｒｔ  ｏｎ  Ｍｏｂｉｌｅ  Ｒａｄｉｏ  Ａｓｐｅｃｔｓ」参照）。
これらの異なる仕様のメールサービス間でメッセージを相互に送受信するために、ショートメールを上述の受信通知に変換して携帯電話端末装置に提供することが考えられる。しかしながら、ショートメールの上限サイズ（例えば、５１２バイト）は、受信通知の上限サイズ（例えば、３８４バイト）より長いため、例えば単にショートメールのサイズを３８４バイト以下に制限する等の処理によって受信通知に変換した場合には、ショートメールの内容の一部が失われてしまうことがある。
このため、例えば、次のような手順を踏むことが考えられる：まず、ショートメールのサイズが受信通知の上限サイズを超える場合には、受信通知に変換して携帯電話端末装置に提供すると共に、ショートメールをメールサーバにも保存しておく。そして、携帯電話端末装置からの要求に応じて、受信通知とは異なるプロトコルによって、ショートメール全体を再度携帯電話端末装置に供給する。
また、携帯電話端末装置にＰＯＰ３等の標準的なプロトコルを実装した場合においても、携帯電話端末装置側のメモリ容量を考慮して、メッセージの上限サイズを、例えば１２ｋバイト程度に決めていた。
ＰＯＰ３では、クライアントがメッセージを受信するとサーバが保持していたメッセージを削除するのが一般的である。このため、上限サイズを超えるサイズのメッセージを携帯電話端末装置が受信しようとすると、上限サイズを超えた部分は携帯電話端末装置に伝送されずに削除されてしまう。この結果、メッセージ中のメール上限サイズを超える部分が失われてしまう。
このため、受信通知の上限サイズ以上のサイズのメッセージは、上述のショートメールの場合と同様に、メールサーバに格納しておき、ＰＯＰ３以外のプロトコルで携帯電話端末装置に供給する必要があった。
また、メッセージのサイズが携帯電話端末装置の上限サイズ以上である場合あるいは携帯電話端末装置で利用できないファイルが添付されている場合等に、メッセージの受信を制限することができるメール提供装置が知られている（例えば、特開２００２−３４４５２６号（第１３頁、図１２、図１３）参照）。しかしながら、このメール提供装置では、ユーザが受信するメッセージを選択したり、受信方法を任意に選択したりすることは考慮されていない。
あるいは、メッセージをページ記述言語に変換して携帯電話端末装置に提供するサービスが知られている（例えば、特開２００２−３４４５２６号（第１３頁、図１２、図１３）参照）。このサービスにおいては、上限サイズを超えたメッセージは、上限サイズ以下の複数のメッセージに分割し、各々ページ記述言語に変換して携帯電話端末装置に伝送するようになっている。
また、ＰＯＰ３をさらに発展させたプロトコルとしてＩＭＡＰが知られている（例えば、『Ｍ．Ｃｒｉｓｐｉｎ「ＲＦＣ−２０６０」、１９９６年１２月、インターネット＜ＵＲＬ：ｈｔｔｐ：／／ｗｗｗ．ｉｅｔｆ．ｏｒｇ／ｒｆｃ／ｒｆｃ２０６０．ｔｘｔ＞、ｐ．４〜７』参照）。このプロトコルでは、メールボックスに格納されたメッセージを端末装置側に転送する前に、メッセージの容量，サブジェクト等の情報を要求したり、マルチパートＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）形式のメッセージの各パート（部分）毎に添付ファイルの有無の確認，削除，転送等を指示したりすることができるようになっている。
しかしながら、上述のようにして、受信通知の上限サイズを超えるショートメール等をメールサーバに保持しておく場合には、受信通知の上限サイズを超えるショートメールは、ユーザが携帯電話端末装置を操作してメールサーバから取得する必要があり、ユーザの操作負担が大きかった。
また、上述のように、上限サイズを超えるメッセージを（自動的に）分割して携帯電話端末装置に供給する場合では、メールサーバ側でメッセージを自動的に分割して携帯電話端末装置に送信してしまう。このため、ユーザにとって不必要なメッセージであっても携帯電話端末装置に供給されてしまい、無用なトラフィック，費用を発生させてしまう。
本発明は、上述のような事情に鑑みてなされたものであり、メッセージ情報を効率的に伝送することができ、無用なトラフィックの低減を図ることができる通信方法を提供することを目的とする。
また、本発明は、本発明に係る通信方法の使用に用いることができる通信端末装置及び通信サーバ装置を提供することを目的とする。
また、本発明は、本発明に係る通信方法を使用することができる通信システムを提供することを目的とする。
【発明の開示】
本発明は、第１の観点からすると、通信サーバ装置を介して通信端末装置が通信を行う通信方法であって、前記通信サーバ装置が、前記通信端末装置へ伝達すべきメッセージ情報を受信したこと示す受信通知を前記通信端末装置へ向けて送信する受信通知工程と；前記通信端末装置が、前記受信通知に応じて、前記メッセージ情報のダイジェストとして希望する情報構成に関する情報であるダイジェスト構成情報をパラメータとするダイジェスト要求を前記通信サーバ装置へ向けて送信するダイジェスト要求工程と；前記通信サーバ装置が、前記ダイジェスト要求に応じ、前記ダイジェスト構成情報に基づいてダイジェスト情報を組み立て、前記組み立てられたダイジェスト情報を前記通信端末装置へ向けて送信するダイジェスト情報通知工程と；を備えるメール通信方法である。
この通信方法では、通信端末装置へ伝達すべきメッセージ情報を受信すると、通信サーバ装置は、受信通知工程において、当該メッセージ情報を受信したことを示す受信通知を、当該通信端末装置へ向けて送信する。この受信通知を受けた通信端末装置は、ダイジェスト要求工程において、メッセージ情報のダイジェストとして希望する情報構成に関する情報であるダイジェスト構成情報をパラメータとするダイジェスト要求を通信サーバ装置へ向けて送信する。ここで、ダイジェスト構成情報としては、メッセージ情報がＳＭＴＰやＰＯＰ３に従う電子メール（本明細書においては、単に「メール」とも呼ぶ）の形式である場合には、例えば、発信元、受信先、本文のサイズ、添付ファイルの有無、添付ファイルの種類、添付ファイルのサイズ等の内から任意の１つ以上の要素を指定するものがある。
次に、ダイジェスト要求を受けた通信サーバ装置が、ダイジェスト情報通知工程において、当該ダイジェスト要求に応じ、メッセージ情報を調査して、ダイジェスト情報構成情報で指定された構成のダイジェスト情報を組み立てる。そして、通信サーバ装置は、組み立てられたダイジェスト情報を通信端末装置へ向けて送信する。
この結果、通信端末装置は、自身に宛てたメッセージ情報に開して、所望のダイジェスト情報を得ることができるので、このダイジェスト情報を参照することにより、メッセージ情報を効率的に伝送することができ、無用なトラフィックの低減を図る態様で当該メッセージ情報を受信する準備をすることができる。したがって、本発明の通信方法によれば、メッセージ情報を効率的に伝送することができ、無用なトラフィックの低減を図ることができる。
本発明の通信方法では、前記ダイジェスト構成情報を予め前記通信端末装置内に設定しておくこととすることができる。この場合には、通信端末装置が、受信通知を受けた後に自動的に行うことができる。
また、本発明の通信方法では、前記ダイジェスト構成情報を、ダイジェスト要求工程に先立って、前記通信端末装置の利用者の指令に従って作成するようにしてもよい。この場合には、個々の通信端末装置の利用者にとって使いやすいダイジェスト情報を得ることができる。なお、利用者の指令に従って作成されたダイジェスト構成情報を予め通信端末装置に登録しておき、通信端末装置自動的にダイジェスト要求をするようにすることもできるし、また、個々の受信通知を受けた後に、利用者の指令に従ってダイジェスト構成情報を作成するようにすることもできる。
また、本発明の通信方法では、前記ダイジェスト情報を受けた前記通信端末装置が、受信を希望する前記メッセージ情報の部分ごとに、部分指定パラメータを伴うメッセージ部分送信要求を前記通信サーバ装置へ向けて送信するメッセージ部分要求工程と；前記通信サーバ装置が、前記メッセージ部分送信要求に応じて、前記部分指定パラメータで指定された部分を前記通信端末装置へ向けて送信するメッセージ部分通知工程と；を更に備えることとすることができる。
この場合には、ダイジェスト情報を受けた前記通信端末装置が、メッセージ部分要求工程において、例えば一度の通信動作で受信可能なサイズを有する部分といった受信を希望するメッセージ情報の部分ごとに、部分指定パラメータを伴うメッセージ部分送信要求を前記通信サーバ装置へ向けて送信する。このメッセージ部分送信要求を受けた通信サーバ装置は、メッセージ部分通知工程において、当該メッセージ部分送信要求に付随している部分指定パラメータにより指定された部分を通信端末装置へ向けて送信する。この結果、通信端末装置は、当該メッセージ情報の中で、受信を希望する部分のみを選択して受信することができる。
ここで、前記メッセージ部分送信要求は、前記部分指定パラメータにより指定された部分の削除を要求するメッセージ部分削除要求パラメータを更に伴うこととすることができる。この場合には、メッセージ部分送信要求にメッセージ部分削除要求パラメータを伴わせることにより、通信サーバ装置が、通信端末装置へ送信した部分については削除してもよいことを認識することができる。したがって、通信サーバ装置が、部分指定パラメータにより指定された部分を通信端末装置へ送信した直後に当該部分を削除することができるようになる。
また、本発明の通信方法では、前記メッセージ情報のサイズが、前記通信端末装置が一度に受信できる最大サイズよりも小さい場合に、前記通信端末装置が、前記メッセージ情報の全体の送信要求であるメッセージ全体送信要求を前記通信サーバ装置へ向けて送信するメッセージ全体送信要求工程と；前記通信サーバ装置が、前記メッセージ全体送信要求に応じて、前記メッセージ情報の全体を送信するメッセージ全体通知工程と；を更に備えることとすることができる。
この場合には、上述したダイジェスト情報から、メッセージ情報のサイズが、通信端末装置が一度に受信できる最大サイズよりも小さいことが判明したときに、通信端末装置は、メッセージ全体送信要求工程において、メッセージ情報の全体の送信要求であるメッセージ全体送信要求を通信サーバ装置へ向けて送信する。この結果、メッセージ情報のサイズが、通信端末装置が一度に受信できる最大サイズよりも小さい場合には、一回のメッセージ全体送信要求を行うだけで、メッセージ情報の全体をもれなく取得することができる。
ここで、前記メッセージ全体送信要求は、前記メッセージ情報全体の前記メッセージ情報の全体の削除を要求するメッセージ全体削除要求パラメータを更に伴うこととすることができる。この場合には、メッセージ全体送信要求にメッセージ全体削除要求パラメータを伴わせることにより、通信サーバ装置が、通信端末装置へ送信したメッセージ情報の全体について削除してもよいことを認識することができる。したがって、通信サーバ装置が、通信端末装置へメッセージ情報の全体を送信した直後に当該メッセージ情報の全体を削除することができるようになる。
本発明は、第２の観点からすると、通信サーバ装置を介して通信を行う通信端末装置であって、前記通信サーバ装置が受信した前記通信端末装置へ伝達すべきメッセージ情報のダイジェストとして希望する情報構成に関する情報であるダイジェスト構成情報を格納するダイジェスト構成情報格納手段と；前記サーバ装置から通知された前記通信端末装置へ伝達すべきメッセージ情報の受信通知に応じて、前記ダイジェスト構成情報をパラメータとするダイジェスト要求を前記通信サーバ装置へ向けて送信するダイジェスト要求手段と；前記ダイジェスト要求に応じて前記通信サーバ装置から送信されたダイジェスト情報を受信するダイジェスト受信手段と；を備える通信端末装置である。
この通信端末装置では、サーバ装置から通知されたメッセージ情報の受信通知に応じて、ダイジェスト要求手段が、ダイジェスト構成情報格納手段に格納されたダイジェスト構成情報をパラメータとするダイジェスト要求を通信サーバ装置へ向けて送信する。ここで、ダイジェスト構成情報格納手段へのダイジェスト構成情報の格納は、受信通知を受ける前に予め定めたものを格納しておいてもよいし、受信通知を受けた後に、利用者の指令により定められたものを格納するようにしてもよい。
そして、ダイジェスト受信手段が、ダイジェスト要求に応じて通信サーバ装置から送信されたダイジェスト情報を受信する。
したがって、本発明の通信端末装置は、上述した本発明の通信方法の使用において通信端末装置に要求されるダイジェスト取得機能を果たすことができるので、本発明の通信方法の使用の際に採用することができる。
本発明の通信端末装置では、前記受信したダイジェスト情報を表示するダイジェスト表示手段を更に備える構成とすることができる。この場合には、表示部における表示により、利用者に受信したダイジェスト情報を知らせることができる。
ここで、前記ダイジェスト表示手段に表示された前記ダイジェスト情報を見た利用者による指令に応じて、前記メッセージ情報中において受信を希望する部分ごとに、部分指定パラメータを伴うメッセージ部分送信要求を前記通信サーバ装置へ向けて送信するメッセージ部分要求手段と；前記メッセージ部分送信要求に応じて前記通信サーバから送信された前記メッセージ情報の部分を受信するメッセージ受信手段と；を更に備える構成とすることができる。
この場合には、ダイジェスト表示手段に表示されたダイジェスト情報を見た利用者による指令に応じて、メッセージ部分要求手段が、利用者が受信を希望するメッセージ部分の部分ごとに、当該部分を指定する部分指定パラメータを伴うメッセージ部分送信要求を通信サーバ装置へ向けて送信する。ここで、利用者は、メッセージ情報の各部分のサイズ等を勘案して、受信を希望する部分を定める。
そして、メッセージ受信手段が、メッセージ部分送信要求に応じて通信サーバから送信されたメッセージ情報の部分を受信する。したがって、受信通知を受けた後に行われた利用者が指令により指定されたメッセージ情報の部分を取得することができる。
また、本発明の通信端末装置では、前記メッセージ情報中に存在していたのであれば受信を希望する、前記メッセージ情報の少なくとも１つの部分を指定する部分指定情報を格納する部分指定情報格納手段と；前記部分指定情報及び前記ダイジェスト情報に基づいて、前記メッセージ情報において受信を希望する部分ごとに、部分指定パラメータを伴うメッセージ部分送信要求を前記通信サーバ装置へ向けて送信するメッセージ部分要求手段と；前記メッセージ部分送信要求に応じて前記通信サーバから送信された前記メッセージ情報の部分を受信するメッセージ受信手段と；を更に備える構成とすることができる。
この場合には、メッセージ部分要求手段が、部分指定情報格納手段に格納された部分指定情報と、受信したダイジェスト情報に基づいて、メッセージ情報において受信を希望する部分ごとに、部分指定パラメータを伴うメッセージ部分送信要求を前記通信サーバ装置へ向けて送信する。ここで、メッセージ情報において受信を希望する部分には、部分指定情報において指定されている部分であり、かつ、ダイジェスト情報においてメッセージ情報中に存在することが示されている部分が該当することになる。なお、ダイジェスト情報において示される各部分のサイズを更に考慮して、受信を希望する部分を決定してもよい。
そして、メッセージ受信手段が、メッセージ部分送信要求に応じて通信サーバから送信されたメッセージ情報の部分を受信する。したがって、自動的に受信を希望するメッセージ情報の部分を取得することができる。
また、本発明の通信端末装置では、前記メッセージ情報のサイズが一度に受信できる最大サイズよりも小さい場合に、前記メッセージ情報の全体の送信要求であるメッセージ全体送信要求を前記通信サーバ装置へ向けて送信するメッセージ全体要求手段と；前記メッセージ全体送信要求に応じて前記通信サーバから送信された前記メッセージ情報の全体を受信するメッセージ受信手段と；を更に備える構成とすることができる。
この場合には、上述したダイジェスト情報から、メッセージ情報のサイズが、通信端末装置が一度に受信できる最大サイズよりも小さいことが判明したときに、メッセージ全体要求手段が、メッセージ情報の全体の送信要求であるメッセージ全体送信要求を通信サーバ装置へ向けて送信する。そして、メッセージ受信手段が、メッセージ全体送信要求に応じて通信サーバから送信されたメッセージ情報の全体を受信する。したがって、メッセージ情報のサイズが、通信端末装置が一度に受信できる最大サイズよりも小さい場合には、一回のメッセージ全体送信要求を行うだけで、メッセージ情報の全体をもれなく取得することができる。
また、本発明の通信端末装置では、前記通信サーバ装置との通信経路に配置される移動通信網の基地局との間で無線通信を行う無線通信手段を更に備える構成とすることができる。すなわち、本発明の通信端末装置を携帯電話装置等の移動通信端末装置とすることができる。
本発明は、第３の観点からすると、通信端末装置による通信の便宜を図る通信サーバ装置であって、前記通信端末装置へ伝達すべきメッセージ情報を受信したこと示す受信通知を前記通信端末装置へ向けて送信する受信通知手段と；前記通信端末装置から送信された、前記メッセージ情報のダイジェストとして希望する情報構成に関する情報であるダイジェスト構成情報をパラメータとするダイジェスト要求に応じて、前記ダイジェスト構成情報に基づいてダイジェスト情報を組み立て、前記組み立てられたダイジェスト情報を前記通信端末装置へ向けて送信するダイジェスト情報通知手段と；を備える通信サーバ装置である。
この通信サーバ装置では、通信端末装置へ伝達すべきメッセージ情報を受信すると、その旨を示す受信通知を、受信通知手段が通信端末装置へ向けて送信する。この受信通知に応じて通信端末装置が送信したダイジェスト要求を受けると、ダイジェスト情報通知手段が、ダイジェスト情報に付随して受けたダイジェスト構成情報に基づいてダイジェスト情報を組み立てる。そして、ダイジェスト情報通知手段は、組み立てられたダイジェスト情報を通信端末装置へ向けて送信する。
したがって、上述した本発明の通信方法の使用において通信端末装置に要求されるダイジェスト取得機能を果たすことができるので、本発明の通信方法の使用の際に採用することができる。
本発明の通信サーバ装置では、前記通信端末装置が受信を希望する前記メッセージ情報の部分ごとに、前記通信端末装置が送信した部分指定パラメータを伴うメッセージ部分送信要求に応じて、前記部分指定パラメータにより指定に示された部分を前記通信端末装置へ向けて送信するメッセージ部分送信手段；を更に備える構成とすることができる。
この場合には、上述したダイジェスト情報を受けた通信端末装置が送信したメッセージ部分送信要求を受けると、メッセージ部分送信要求に付随して受けた部分指定パラメータにより指定されたメッセージ情報の部分を、メッセージ部分送信手段が通信端末装置へ向けて送信する。この結果、通信端末装置が受信を希望した部分を当該通信端末装置へ提供することができる。
ここで、前記メッセージ部分要求が前記部分指定パラメータにより指定された部分の削除を要求するメッセージ部分削除パラメータを更に伴う場合に、前記メッセージ部分送信手段による送信後に、前記部分を削除するメッセージ部分削除手段を更に備える構成とすることができる。この場合には、メッセージ部分要求が前記部分指定パラメータにより指定された部分の前記通信サーバ装置における削除を要求するメッセージ部分削除パラメータを更に伴うときには、メッセージ部分削除手段が、メッセージ部分送信手段による送信後に、当該部分を削除する。したがって、通信サーバ装置において、メッセージ部分送信手段による送信後に、当該部分を直ちに削除することができる。
また、本発明の通信サーバ装置では、前記通信端末装置が送信した前記メッセージ情報全体の送信の要求であるメッセージ全体送信要求に応じて、前記メッセージ情報の全体を送信するメッセージ全体送信手段を更に備える構成とすることができる。
この場合には、上述したダイジェスト情報を受けた通信端末装置が送信したメッセージ全体送信要求を受けると、メッセージ情報の全体を、メッセージ全体送信手段が通信端末装置へ向けて送信する。この結果、通信端末装置による１回のメッセージ全体送信要求のみで、メッセージ情報の全体を通信端末装置へ向けて送信することができる。
ここで、前記メッセージ全体送信要求が前記メッセージ情報の全体の削除を要求するメッセージ全体削除パラメータを更に伴う場合に、前記メッセージ部分送信手段による送信後に、前記メッセージ情報の全体を削除するメッセージ全体削除手段を更に備える構成とすることができる。この場合には、メッセージ全体要求がメッセージ情報の全体の通信サーバ装置における削除を要求するメッセージ全体削除パラメータを更に伴うときには、メッセージ全体削除手段が、メッセージ全体送信手段による送信後に、当該メッセージ情報の全体を削除する。したがって、通信サーバ装置において、メッセージ全体送信手段による送信後に、当該メッセージ情報の全体を直ちに削除することができる。
本発明は、第４の観点からすると、通信サーバ装置を介して通信端末装置が通信を行う通信システムであって、前記通信端末装置は、前記通信サーバ装置が受信した前記通信端末装置へ伝達すべきメッセージ情報のダイジェストとして希望する情報構成に関する情報であるダイジェスト構成情報を格納するダイジェスト構成情報格納手段と；前記サーバ装置から通知された前記通信端末装置へ伝達すべきメッセージ情報の受信通知に応じて、前記ダイジェスト構成情報パラメータとするダイジェスト要求を前記通信サーバ装置へ向けて送信するダイジェスト要求手段と；前記ダイジェスト要求に応じて前記通信サーバ装置から送信されたダイジェスト情報を受信するダイジェスト受信手段と；を備え、前記通信サーバ装置は、前記通信端末装置へ伝達すべきメッセージ情報を受信したこと示す受信通知を前記通信端末装置へ向けて送信する受信通知手段と；前記通信端末装置から送信された、前記メッセージ情報のダイジェストとして希望する情報構成に関する情報であるダイジェスト構成情報をパラメータとするダイジェスト要求に応じて、前記ダイジェスト構成情報に基づいてダイジェスト情報を組み立て、前記組み立てられたダイジェスト情報を前記通信端末装置へ向けて送信するダイジェスト情報通知手段と；を備える通信システムである。
すなわち、本発明の通信システムは、上述した本発明の通信装置と、本発明の通信サーバ装置とを備えている。このため、本発明の通信システムでは、上述した本発明の通信方法を使用することができる。したがって、本発明の通信システムによれば、メッセージ情報を効率的に伝送することができ、無用なトラフィックの低減を図ることができる。
以上説明したように、本発明の通信方法及び通信システムによれば、メッセージ情報を効率的に伝送することができ、無用なトラフィックの低減を図ることができるという効果を奏する。
【図面の簡単な説明】  図１は、本発明の一実施形態に係る情報通信システムの構成を示すブロック図であり；
図２は、図１のメールサーバの構成を示すブロック図であり；
図３は、図１の情報通信システムを構成する移動通信網の構成を示すブロック図であり；
図４は、図１の携帯電話端末装置における電子メールクライアント及びメモリの構成を示すブロック図であり；
図５は、図１情報通信システムにおいて伝送されるメッセージの例を示す図であり；
図６は、図１の携帯電話端末装置に供給されるダイジェスト情報の例を示す図であり；
図７は、メッセージのＭＩＭＥ構造を示す情報の例を示す図であり；
図８は、メッセージの添付ファイルの受信を要求した際の応答メッセージの例を示す図であり；
図９は、図１の携帯電話端末装置の設定保持部に格納される設定情報（ダイジェスト構成情報を含む動作モード情報の一部）の例を示す図であり；
図１０は、設定情報（ダイジェスト構成情報）の設定時の表示部の表示画像の例を示す図であり；
図１１は、図１の携帯電話端末装置の設定保持部に格納される設定情報（受信項目情報）の例を示す図であり；
図１２は、図１の携帯電話端末装置の管理テーブル保持部に格納される管理テーブルの例を示す図であり；
図１３は、手動受信動作の例を示すシーケンス図であり；
図１４は、手動受信時の代理サーバ２２の動作例を示すシーケンス図であり；
図１５Ａ及び図１５Ｂは、手動受信動作時に表示部に表示される画像の例を示す図であり；
図１６は、自動受信動作の例を示すシーケンス図であり；そして、
図１７は、ＰＯＰ３によりメールサーバを構成した変形例を示す図である。
【発明を実施するための最良の形態】  以下、本発明の一実施形態を、図１〜図１６を参照して説明する。なお、図面の説明に際しては、同一又は同等の要素には同一の符号を付し、重複する説明を省略する。
（構成）
図１には、本実施形態に係る通信システム５００の概略的な構成がブロック図にて示されている。この通信システム５００は、図１に示されるように、（ａ）インターネット等のＴＣＰ／ＩＰプロトコルで通信を行うネットワーク１に対するメッセージの送受信及びメールボックス（ｍｂｏｘ）１０内のメッセージの管理等を実行する通信サーバ装置であるメールサーバ２０と、（ｂ）通信端末装置である携帯電話端末装置６０宛てにショートメッセージを送信するショートメッセージセンタ（ＳＭＳＣ：Ｓｈｏｒｔ  Ｍｅｓｓａｇｅ  Ｓｅｒｖｉｃｅ  Ｃｅｎｔｅｒ）３０とを備えている。また、通信システム５００は、（ｃ）プロトコルの変換等を行うゲートウェイ装置４０と、（ｄ）携帯電話端末装置６０との間で無線通信を行う移動通信網５０と、（ｅ）携帯電話端末装置（ＵＥ）６０とを備えている。更に、通信システム５００は、（ｆ）ネットワーク１に接続されたパーソナルコンピュータ等の情報通信端末装置（ＰＣ）７０と、（ｇ）ＰＯＰ３（Ｐｏｓｔ  Ｏｆｆｉｃｅ  Ｐｒｏｔｏｃｏｌ  ｖｅｒｓｉｏｎ３）サーバ８０とを備えている。
ここで、メールボックス（ｍｂｏｘ）１０には、利用者（ｕｓｅｒ１，ｕｓｅｒ２，ｕｓｅｒ３，…）ごとに、受信メールを格納する利用者別格納領域１１，１２，１３，…が設けられている。利用者別格納領域１１，１２，１３，…のそれぞれには、図１において利用者別格納領域１１について代表的に示されるように、テキストデータ、画像データ、音データ等の少なくとも１つを含むメッセージｍｅｓ１，ｍｅｓ２，…が格納されるようになっている。
メールサーバ２０は、図２に示されるように、ＩＭＡＰ４（Ｉｎｔｅｒｎｅｔ  Ｍｅｓｓａｇｅ  Ａｃｃｅｓｓ  Ｐｒｏｔｏｃｏｌ  ｖｅｒｓｉｏｎ４）サーバ２１を備えている。このＩＭＡＰ４サーバ２１が動作することにより、ＩＭＡＰによってネットワーク１を介して接続されている他のメールサーバ（ＰＯＰ３サーバ８０），ＰＣ（パーソナルコンピュータ）７０等との間でメッセージの送受信が行われる。このＩＭＡＰ４サーバ２１では、ｍｂｏｘ１０に格納されたメッセージを端末装置側に転送する前に、メッセージの容量、サブジェクト等の情報を要求したり、マルチパートＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）メッセージの各パート（部分）毎に添付ファイルの有無の確認，削除，転送等を指示したりすることができるようになっている。
一方、上述した携帯電話端末装置６０（図１参照）には、ＭＰＵの処理能力、メモリ容量等の観点からＩＭＡＰ４は実装されていない。このため、メールサーバ２０は、携帯電話端末装置６０からの要求に応じてＩＭＡＰコマンドを生成し、ＩＭＡＰ４サーバ２１に供給する代理サーバ２２を備えている。この代理サーバ２２は、図２に示されるように、（ｉ）携帯電話端末装置６０との間でコマンドの送受信を行う送受信部２２ａと、（ｉｉ）携帯電話端末装置６０からの要求を解析する要求解析部２２ｂと、（ｉｉｉ）ＩＭＡＰ４サーバ２１からメッセージを取得するメッセージ取得部２２ｃと、（ｉｖ）メッセージ取得部２２ｃが取得したメッセージを解析するメッセージ解析部２２ｄと、（ｖ）携帯電話端末装置６０に対する応答メッセージを構成する応答構成部２２ｅとを備えている。
ＩＭＡＰ４サーバ２１は、外部のメールサーバから当該ＩＭＡＰ４サーバ２１のユーザ宛てのメッセージを受信すると、受信したメッセージをメールボックス（ｍｂｏｘ）１０内の当該ユーザに割り当てられた領域（例えば、ユーザ１の場合には利用者別格納領域１１）に格納する。また、メールサーバ２０は、受信したメッセージの宛先とされているユーザの携帯電話端末装置６０宛てにメッセージを受信した旨を示すショートメッセージを受信通知として送信するように、上述のＳＭＳＣ３０（図１参照）に指示する。
ＩＭＡＰ４サーバ２１は、受信したメッセージ毎に固有の識別番号（ＵＩＤ：Ｕｎｉｑｕｅ  ＩＤ）を付与して管理している。ＩＭＡＰ４サーバ２１に対するメッセージのＩＭＡＰ４サーバ２１からの送信の要求等の指示は、当該ＵＩＤを指定して行うようになっている。
図１に戻り、ＳＭＳＣ３０は、例えば１４０オクテット（２バイト文字で７０文字）程度の短いメッセージ（ショートメッセージ）を携帯電話端末装置６０宛に送信する。このショートメッセージは、上述したＩＭＡＰ４サーバ２１（図２参照）からのメッセージとは異なり、ＴＣＰ／ＩＰプロトコルとは異なるプロトコルで伝送されて携帯電話端末装置６０に供給される。
ゲートウェイ装置４０は、パケットヘッダの変換，パケット中のデータの分割・結合等の処理を行って、ＴＣＰ／ＩＰプロトコルと移動通信網５０側の伝送プロトコルの変換を行う。
移動通信網５０は、無線アクセス系としてＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式，コアネットワーク系としてＧＰＲＳ（Ｇｅｎｅｒａｌ  Ｐａｃｋｅｔ  Ｒａｄｉｏ  Ｓｅｒｖｉｃｅ）方式を採用したデジタル無線通信網等から構成されている。この移動通信網５０は、図３に示されるように、（ｉ）コアネットワーク（ＣＮ）を構成するＧＧＳＮ（Ｇａｔｅｗａｙ  ＧＰＲＳ  Ｓｕｐｐｏｒｔ  Ｎｏｄｅ）５１、ネットワーク５２及びＳＧＳＮ（Ｓｅｒｖｉｎｇ  ＧＰＲＳ  Ｓｕｐｐｏｒｔ  Ｎｏｄｅ）５３と、（ｉｉ）無線アクセスネットワークを構成するＲＮＣ（Ｒａｄｉｏ  Ｎｅｔｗｏｒｋ  Ｃｏｎｔｒｏｌｌｅｒ）５４及び基地局装置（ＮＢ：ＮｏｄｅＢ）５５ａ，５５ｂ，…，５５ｎとを備えている。また、移動通信網５０は、ネットワーク５２に接続されたパケット交換機（ＰＳＥ）５６と、いわゆる２．５世代と呼ばれるパケット通信機能を備えた携帯電話端末装置５８（図１参照）との間で無線通信を行う基地局装置（ＢＳ）５７とを更に備えている。
携帯電話端末装置６０がパケット通信を行う際には、携帯電話端末装置６０と通信を行う基地局装置５５ａ〜５５ｎの上位のＲＮＣ５４が接続されているＳＧＳＮ５３とＧＧＳＮ５１との間で論理コネクションが設定される。そして、通信中に携帯電話端末装置６０が当該ＳＧＳＮ５３の配下の他の基地局装置５５ａ〜５５ｎのセルに移動した場合でもこの論理コネクションが維持される。このような論理コネクションの制御のプロトコルとして、例えばＧＴＰ（ＧＰＲＳ  Ｔｕｎｎｅｌｉｎｇ  Ｐｒｏｔｏｃｏｌ）を用いることができる。なお、携帯電話端末装置６０が他のＳＧＳＮ５３の配下の基地局装置５５ａ〜５５ｎのセルに移動すると新たなセルの上位のＳＧＳＮ５３との間で新たな論理コネクションが設定される。
携帯電話端末装置６０は、（ｉ）高周波信号の処理を行う高周波（ＲＦ：Ｒａｄｉｏ  Ｆｒｅｑｕｅｎｃｙ）部６１と、（ｉｉ）処理部（ＭＰＵ）６２と、（ｉｉｉ）メモリ６３とを備えている。また、携帯電話端末装置６０は、（ｉｖ）ユーザからの指示等を入力する操作キー６４と、（ｖ）ユーザに対する表示を行う表示部６５とを備えている。更に、携帯電話端末装置６０は、（ｖｉ）音声信号の符号化／復号化を行う音声ＣＯＤＥＣ６６と、（ｖｉｉ）マイクロフォン（ＭＩＣ）６７と、（ｖｉｉｉ）スピーカ６８とを備えている。
ＭＰＵ６２は、メモリ６３に保持されている制御プログラムを実行することにより、移動通信網５０を介した通信の制御を行う通信制御部１００、電子メールの送受信を行う電子メールクライアント２００及び電子メールのメッセージ等を表示するブラウザ３００として機能する。また、メモリ６３内には、設定情報を保持する設定保持部６３ａと、メッセージを保持するメッセージ保持部６３ｂとが設けられている。
電子メールクライアント２００は、図４に示されるように、上述のメールサーバ２０が提供するメールサービスを利用する通常メール処理部２１０と、上述のＳＭＳＣ３０が提供するショートメールサービスを利用するＳＭＳ処理部２２０とを備えている。
ここで、通常メール処理部２１０は、（ｉ）メールサーバ２０にメッセージについての情報（ダイジェスト情報）を要求するダイジェスト取得部２１１と、（ｉｉ）メールサーバ２０からメッセージを取得するメッセージ取得部２１２とを備えている。また、通常メール処理部２１０は、（ｉｉｉ）メールサーバ２０にメッセージ（メッセージ全体の他に、ヘッダ，本文，添付ファイル等の部分的毎の処理も可能である。）の転送，削除等の指示を送信する転送指示部２１３と、（ｉｖ）設定保持部６３ａに保持されている設定情報等に応じてダイジェスト取得部２１１、メッセージ取得部２１２及び転送指示部２１３等の動作を制御する制御部２１４とを備えている。
また、設定保持部６３ａには、（ｉ）携帯電話端末装置６０が受信可能なメッセージの最大サイズ、ダイジェスト情報として希望する構成を指定するダイジェスト構成情報等を動作モード情報として保持する動作モード情報保持部６３ａａと、（ｉｉ）受信するメッセージ中の項目（部分）を指定する受信項目情報を保持する受信項目保持部６３ａｂとが設けられている。また、メッセージ保持部６３ｂには、（ｉ）メールサーバ２０からのメッセージを保持する通常メッセージ保持部６３ｂａと、（ｉｉ）ＳＭＳＣ３０からのショートメッセージを保持するＳＭＳ保持部６３ｂｂと、（ｉｉｉ）各保持部６３ｂａ，６３ｂｂ中のメッセージの管理テーブルを保持する管理テーブル保持部６３ｂｃとが設けられている。
メールサーバ２０がネットワーク１（図１参照）経由で受信する電子メールは、例えば図５に示されるように、メッセージの伝送経路、送信日時、差出人、宛先、タイトル、メッセージＩＤ等の情報を含むヘッダ３０１と、本文３０２と、添付ファイル３０３等から構成されている。
なお、この通信システム５００では、電子メールクライアント２００が受信する１通のメッセージの上限サイズが、例えばショートメッセージでは１４０オクテット、通常のメッセージではヘッダ込みで３０ｋバイトというように制限されている。一方、メールサーバ２０が受信するメッセージは、携帯電話端末装置６０以外にもネットワーク１経由でも供給されるようになっている。このため、電子メールクライアント２００におけるショートメッセージあるいはメッセージの上限サイズ以上のサイズである場合もある。
このため、この通信システム５００では、まず、ショートメールによって上述の受信通知を携帯電話端末装置６０に送信し、これに応じて、電子メールクライアント２００がメールサーバ２０にメッセージのダイジェスト情報を要求し、得られたダイジェスト情報と、設定保持部６３ａに保持されている設定情報に応じて、通常メール処理部２１０が、ヘッダ、本文、添付ファイル等をメールサーバ２０に要求するようにしている。
また、電子メールクライアント２００のダイジェスト取得部２１１がメールサーバ２０からの送信を要求するダイジェスト情報には、例えばＵＩＤと、ＵＩＤに対応するメッセージについての本文テキストサイズ、件名（ｓｕｂｊｅｃｔ：）、宛先（Ｔｏ：）、送信日時、重要度、添付ファイルの有無、添付ファイルの形式・サイズ等を含ませることができる。また、ＩＭＡＰ４サーバ２１では、クライアントからの要求に応じて、メールボックス（図１中におけるメールボックス（ｍｂｏｘ）１０）に格納されたメッセージについての情報中の必要な部分だけダイジェスト情報として供給することができるようになっている。
設定保持部６３ａには、携帯電話端末装置６０からメールサーバ２０に通知するダイジェスト要求にパラメータとして付随するダイジェスト構成情報で指定する情報（例えば、本文テキストサイズのみ、あるいは、本文テキストサイズと添付ファイルの有無のみ等を示すフラグ）が保持されている。ダイジェスト取得部２１１は、設定保持部６３ａに設定された設定情報に従って、ダイジェストのうちの必要な情報の送信をメールサーバ２０の代理サーバ２２に要求する。代理サーバ２２は、この要求に応じてＩＭＡＰコマンドを生成し、ＩＭＡＰ４サーバ２１に供給する。
上述のように、ＩＭＡＰ４では、ＲＦＣ−２０６０で規定されているＦＥＴＣＨコマンドのパラメータの指定によって、メールサーバ２０に要求するメッセージについての情報（ダイジェスト情報）の部分を指定することができる。例えばコマンド『ＦＥＴＣＨ  １  ＢＯＤＹ［ＨＥＡＤＥＲ］』あるいはコマンド『ＦＥＴＣＨ  １  ＲＦＣ８２２．ＨＥＡＤＥＲ』をメールサーバ２０に送信すると、この応答としてｍｂｏｘ１０中の１番目のメッセージのメッセージのヘッダ部分のみを取得することができる。また、例えばコマンド『ＦＥＴＣＨ  １  ＲＦＣ８２２．ＳＩＺＥ』に対する応答としてメッセージのサイズを取得することができる。さらに、コマンド『ＦＥＴＣＨ  １  ＢＯＤＹＳＴＲＵＣＴＵＲＥ』あるいはコンド『ＦＥＴＣＨ  １  ＢＯＤＹ』により、ｍｂｏｘ１０中の１番目のメッセージのＭＩＭＥ構造（例えば本文テキストと、添付ファイルの数，サイズ等）を示す情報を取得することができる。
具体的には、例えば上述の図５に示されるメッセージがｍｂｏｘ１０中の１番目であるときに、メールサーバ２０にコマンド『ＦＥＴＣＨ  １  ＢＯＤＹ［ＨＥＡＤＥＲ．ＦＩＥＬＤＳ  （ＦＲＯＭ  ＳＵＢＪＥＣＴ）］』を送信した場合に対する応答（ダイジェスト情報）は、例えば図６に示されるように、ヘッダ３０１中のＦｒｏｍフィールドとＳｕｂｊｅｃｔフィールドの内容を示す情報となる。
同様の条件で、メールサーバ２０にコマンド『ＦＥＴＣＨ  １  ＢＯＤＹＳＴＲＵＣＴＵＲＥ』を送信すれば、例えば図７に示されるように、これに対する応答（ダイジェスト情報）として当該メッセージのＭＩＭＥ構造を示す情報がメッセージ取得部２１２に供給される。
また、ＩＭＡＰでは、メッセージの要求、削除、転送等の処理は、メッセージの部分毎に指定することができるようになっている。このため、例えばメールサーバ２０が受信したメッセージがマルチパートＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）形式である場合には、通常メール処理部２１０は、メッセージの各パート（例えば本文，添付ファイル）毎にメールサーバ２０からの送信の要求、すなわち、希望するメッセージの部分を指定するメッセージ部分要求パラメータを伴うメッセージ部分要求を行うことができるようになっている。
このような処理を要求する際に、通常メール処理部２１０は、例えば受信、転送、削除等のコマンドを代理サーバ２２宛てに送信する。このコマンドのパラメータには、コマンドの対象となるメッセージを示すＵＩＤ及び対象となるメッセージのパートを示す情報［例えばＭＩＭＥ構造に準じた”２．１”等のパート番号］が含まれている。代理サーバ２２の解析部２２ｂは、通常メール処理部２１０から供給されたコマンド及びパラメータを解析し、メッセージ取得部２２ｃに指示して、通常メール処理部２１０からのコマンド及びパラメータに対応するＩＭＡＰコマンドを生成し、ＩＭＡＰ４サーバ２１に送信させる。
また、ＩＭＡＰ４サーバ２１からＩＭＡＰコマンドに対する応答があると、メッセージ解析部２２ｄは、応答構成部２２ｅに指示してＩＭＡＰ４サーバ２１の応答に対応する応答メッセージを生成させ、送受信部２２ａを介して通常メール処理部２１０に送信させる。これにより、携帯電話端末装置６０にＩＭＡＰ４プロトコルを実装していなくても、メッセージのパート毎に受信、転送、削除等の処理を行うことができる。
ＩＭＡＰコマンドでは、具体的には、例えばＦＥＴＣＨコマンドのパラメータの指定によって、メールサーバ２０に要求するメッセージの部分を指定することができる。例えばコマンド『ＦＥＴＣＨ  １  ＲＦＣ８２２．ＨＥＡＤＥＲ』とすると、メッセージのヘッダ部分のみを要求することができる。また、例えばコマンド『ＦＥＴＣＨ  １  （ＲＦＣ８２２．ＨＥＡＤＥＲ  ＲＦＣ８２２．ＴＥＸＴ）』あるいはコマンド『ＦＥＴＣＨ  １  ＢＯＤＹ［ＨＥＡＤＥＲ  ＴＥＸＴ］』とすると、メッセージのヘッダ部分と本文を要求することができる。例えば添付ファイル（２．１）が添付されたメッセージ（メッセージＩＤ＝１）の添付ファイルのみを受信する場合には、例えば図８に示されるように、添付ファイルを示す『ｂｏｄｙ［２．１］』をパラメータとしたＦＥＴＣＨコマンドを送信する。これに対する応答として、例えば同図中に示すように、添付ファイルのデータが供給される。
なお、このようなパート毎のメールサーバ２０からの送信の要求は、メッセージの全体のサイズが上述の１通のメッセージの上限サイズを超えている場合に自動的に行うようにしても、ダイジェスト構成情報を確認したユーザからの指示に応じて行うようにしてもよい。また、これらの動作は、ユーザの設定に応じて切り替えるようにしてもよい。
ユーザの設定に応じた動作の切り替えを実現するために、設定保持部６３ａの動作モード情報保持部６３ａａには、受信可能なメッセージの最大サイズ、ダイジェスト情報として希望する構成を指定するダイジェスト構成情報等が動作モード情報として設定されるようになっている。そして、設定保持部６３ａの受信項目保持部６３ａｂには、受信を希望するメッセージの項目（部分）が設定されるようになっている。
ダイジェスト構成情報としては、例えば図９に示されるように、個々のメッセージに割り当てられた識別情報（ＵＩＤ）、ヘッダ、メッセージ全体の容量、ＭＩＭＥ構造による添付ファイルの有無、本文サイズ，添付ファイルのサイズ等の各パートの詳細情報等を指定するフラグが設定可能とされており、ダイジェスト取得部２１１は、これらのフラグに従ってメールサーバ２０にダイジェスト情報の送信を要求する。
ダイジェスト情報として要求する個々の情報の設定、すなわちダイジェスト構成情報の設定は、例えば図１０に示されるように、選択し得るダイジェスト情報の内容を表示部６５に表示し、操作キー６４からユーザからの指示を入力することによって行うことができる。なお、この図１０の例では、上述の図９に示される設定より、さらに細かい設定、例えばヘッダ内の個々のフィールド（Ｆｒｏｍ：、Ｔｏ：、Ｓｕｂｊｅｃｔ：）を指定し得る場合の選択画面を示している。ユーザからの指示によってダイジェスト情報として要求する情報が選択されて設定されると、制御部２１４は、設定された情報に従って設定情報を設定保持部６３ａに格納する。
また、メールサーバ２０から取得したダイジェスト情報に応じて、予め設定しておいたメッセージの部分を自動的に取得させる場合には、制御部２１４は、受信項目保持部６３ａｂに保持されている、例えば図１１に示される態様で自動的に取得する部分を示す設定情報（すなわち、受信項目情報）を参照し、メッセージの各部分毎にメールサーバ２０に送信を要求する。なお、メッセージ全体のサイズが、通常メール処理部２１０が一度に受信できる上限サイズ（例えば、１５ｋバイト）以下である場合には、メッセージ全体を一括してメールサーバ２０に要求するようにしてもよい。この場合には、図１１の設定情報に加えて、例えば当該動作を有効とするか否かを示すフラグを設け、制御部２１４がこのフラグの設定に従って、メッセージ全体のサイズが一度に受信できる上限サイズ以下である場合の動作を切り替えるように構成してもよい。
また、管理テーブル保持部６３ｂｃには、例えば図１２に示されるように、各々のメッセージ毎に受信した部分を示す管理テーブルが保持されている。制御部２１４は、この管理テーブルと、ユーザからの指示あるいは図９及び図１１に示される設定情報に応じてメッセージの内の必要な部分をメッセージ取得部２１２に取得させる。
（手動受信動作）
上述の動作モード情報中の「手動／自動」を示すフラグ（図９参照）が『手動』に設定されているときには、図１３に示されるように、メールサーバ２０が外部からのメッセージを受信すると（Ｓ０）、メールサーバ２０はＳＭＳＣ３０にメッセージを受信した旨を示す通知（Ｍａｉｌ−ＭＷＩ）を行う（Ｓ１）。この通知を受けたＳＭＳＣ３０は、当該メッセージの宛先となっているユーザの携帯電話端末装置（ＵＥ）６０に受信通知（ショートメッセージ：ＳＭＳ）を送信する（Ｓ２）。
ＳＭＳＣ３０からの受信通知は、携帯電話端末装置（ＵＥ）６０の通信制御部１００及びＳＭＳ処理部２２０を介して、ダイジェスト取得部２１１に供給される。これに応じて、ダイジェスト取得部２１１は、無線回線の設定、認証等の処理を実行してパケットセッションを設定させ（Ｓ３）、次いでメールサーバ２０との間にＴＣＰコネクションを設定させる（Ｓ４）。この後、ダイジェスト取得部２１１は、代理サーバ２２に対して上述のダイジェスト情報を要求する（Ｓ５，Ｓ６）。このダイジェスト要求中では、上述のように、ダイジェスト情報として要求する情報の指定であるダイジェスト構成情報がパラメータとされている。
このようなダイジェスト要求を受信すると、代理サーバ２２のメッセージ取得部２２ｃは、図１４に示されるように、ダイジェスト取得部２１１からのダイジェスト要求に対応するＩＭＡＰコマンドを生成し、生成したコマンドをＩＭＡＰ４サーバ２１に供給する。これに応じて、ＩＭＡＰ４サーバ２１がｍｂｏｘ１０中のメッセージの各パートを取得すると、メッセージ解析部２２ｄはメッセージ取得部２２ｃから供給された各パートのデータを解析し、応答構成部２２ｅにダイジェスト要求に応じたダイジェスト情報（ダイジェストＤＡＴＡ）を構成させ、送受信部２２ａを介して携帯電話端末装置（ＵＥ）６０宛に送信させる（図１３中のＳ７〜Ｓ８）。ダイジェスト取得部２１１は、代理サーバ２２からのダイジェスト情報を受信すると、受信したダイジェスト情報を管理テーブル保持部６３ｂｃに供給する。
また、ダイジェスト取得部２１１は、ダイジェストＤＡＴＡを受信した旨を示す応答（ＡＣＫ）をメールサーバ２０に送信し（Ｓ９〜Ｓ１０）、ＴＣＰコネクションを開放させた後（Ｓ１１）、パケットセッションを開放する。
以上のようにダイジェスト情報を受信すると、制御部２１４は、ユーザからの要求に応じて、ダイジェスト情報の内容を表示し得る状態となる。ユーザからの指示があると、制御部２１４は、例えば図１５Ａに示されるように、受信したダイジェスト情報の内容を示す画像を表示部６５に表示させる。この例では、ダイジェスト情報としてヘッダ中のＦｒｏｍフィールド，Ｔｏフィールド，ＳｕｂｊｅｃｔフィールドとＭＩＭＥ構造の各パート毎のサイズを取得した例について示している。
例えば同図Ｂに示すように、ユーザが表示されたダイジェスト情報から受信すべきパートを選択すると、制御部２１４はメッセージ取得部２１２に指示して選択されたパートを受信させる。受信したパートは通常メッセージ保持部６３ｂａに格納され、受信したパートを示す情報が管理テーブル保持部６３ｂｃ中の管理テーブルに登録される。
（自動受信動作）
一方、上述の「手動／自動」を示すフラグが『自動』に設定されているときには、例えば図１６に示されるように、外部からのメッセージ（Ｓ１００）に応じてメールサーバ２０がＳＭＳＣ３０にその旨を通知し（Ｓ１０１）、ＳＭＳＣ３０がユーザの携帯電話端末装置（ＵＥ）６０に受信通知（ＳＭＳ）を送信する（Ｓ１０２）。
受信通知を受信すると、ダイジェスト取得部２１１は、上述の図１３中のＳ３〜Ｓ１０までと同様に、メールサーバ２０からダイジェスト情報を取得する（Ｓ１０３〜Ｓ１１０）。
この後、メッセージ取得部２１２は、上述の図１１に示される設定テーブルにおいて設定されている情報（例えば、本文）をメールサーバ２０から取得する（Ｓ１１１〜Ｓ１１５）。すなわち、ダイジェスト情報を受信した後、メッセージ取得部２１２は、制御部２１４からの指示に従って、メールサーバ２０にメッセージの本文を要求する（Ｓ１１１〜Ｓ１１２）。これに応じてメールサーバ２０から供給されるメッセージの本文（本文Ａ）を受信すると（Ｓ１１３〜Ｓ１１４）、メッセージ取得部２１２は、受信した本文Ａを通常メッセージ保持部６３ｂａの当該メッセージに割り当てられた領域に格納し、本文を受信した旨を示す情報を管理テーブル中の当該メッセージのＵＩＤに対応させて登録する。
また、メッセージ取得部２１２は本文Ａを受信した旨を示す応答（確認応答Ａ）を送信し（Ｓ１１５）、ＴＣＰセッションを開放させ（Ｓ１１６）、パケットセッションを開放する（Ｓ１１７）。
この後、メッセージ取得部２１２は、再度、パケットセッション，ＴＣＰコネクションを設定させ（Ｓ２００〜Ｓ２０１）、残りのパート（例えば、添付ファイル）のメールサーバからの送信の要求をメールサーバ２０に送信する（Ｓ２０２〜Ｓ２０３）。これに応じて、メールサーバ２０から添付ファイル（添付ファイルＢ）が供給されると（Ｓ２０４〜Ｓ２０５）、メッセージ取得部２１２は、受信した添付ファイルＢを通常メッセージ保持部６３ｂａの当該メッセージに割り当てられた領域に格納し、当該添付ファイルを受信した旨を示す情報を管理テーブル中の当該メッセージのＵＩＤに対応させて登録する。
また、メッセージ取得部２１２は添付ファイルＢを受信した旨を示す応答（確認応答Ｂ）を送信し（Ｓ２０６）、ＴＣＰセッションを開放させ（Ｓ２０７）、パケットセッションを開放する（Ｓ２０８）。
このような動作により、１通のメッセージの上限サイズを超えるメッセージであっても、ダイジェスト情報に応じて、個々のパート毎に受信することができる。
ところで、ＩＭＡＰでは、上述のように一部を受信したメッセージであっても、削除の指示をしないとｍｂｏｘ１０に格納されているので、適宜削除の指示を行うようにする。例えば、携帯電話端末装置６０が、パート毎の送信要求ごとに当該パートの削除指示を行ってもよいし、所望のパートにおける最後のパートの送信要求の際に、メッセージ全体の削除指示を行ってもよい。また、携帯電話端末装置６０が、メッセージ全体の要求の際に、メッセージ全体の削除指示を行ってもよい。
なお、個々のパート毎に受信する場合には、所定のパート（例えば、メッセージの本文）はダイジェスト情報を受信した後に自動的に受信し、他のパート（例えば添付ファイル）はタイマーの設定あるいはユーザからの指示等に応じて受信させるように構成することもできる。また、自動的に受信させるパートの指定は、所定の部分（例えば、本文のみ）とすることも、所定の形式あるいは所定サイズ以下の場合とすることも、上述のダイジェスト情報に応じた判断によって行うことができる。
これにより、例えばサイズの大きい画像データ等の添付ファイルは、タイマーを適当に設定することによって、深夜等の比較的トラフィックが少ない時間帯に受信させるようにすることができる。このようにすることで、トラフィックの集中の緩和に寄与することができる。
あるいは、サイズの大きい添付ファイルは、メッセージ取得部２１２が取得しないように設定し、例えばネットワーク１に接続されたＰＣ７０等の伝送レート，メモリ容量等の制約が少ない他の端末装置（例えば、図１のパーソナルコンピュータ７０）によって受信させるようにすることもできる。
また、上述の説明では、携帯電話端末装置６０内に設けられたメモリ６３に受信したメールを格納する例について説明したが、例えば携帯電話端末装置６０に外部メモリを接続するインターフェースを設け、当該インターフェースを介して接続された外部メモリ内に受信したメッセージを直接保存するようにしてもよい。
（効果）
上述のように、この情報通信システムでは、着信通知に応じて、携帯電話端末装置側がダイジェスト情報を取得するため、ユーザがダイジェスト情報に応じてメッセージのパート毎に受信の可否を選択することができる。このため、不要なメッセージあるいは不要なパートについては携帯電話端末装置に転送することを避けることができ、トラフィックの増加の抑制に寄与することができる。この結果、伝送経路における混雑回避に寄与することができる。
また、メッセージのパート毎に受信を要求することができるため、従来は受信できなかったメッセージについても、パート毎に受信を要求すれば受信できる可能性が高くなる。さらに、１通の上限サイズを超えるメッセージについて自動的にパート毎の受信を要求することにより、ユーザの操作負担を軽減させることができる。
（変形例）
本発明は上述した実施形態に限定されるものではなく、様々な変形が可能である。
例えば、上述の実施形態では、代理サーバ２２のメッセージ取得部２２ｃが、通常メール処理部２１０のメッセージ取得部２１２からの要求に応じて、ＩＭＡＰコマンドを生成し、ＩＭＡＰ４サーバ２１にメッセージの要求を行うように構成した。これに対して、メッセージ取得部２１２にＩＭＡＰ４プロトコルを実装し、直接ＩＭＡＰコマンドを生成してＩＭＡＰ４サーバ２１に送信するようにしてもよい。
この場合には、代理サーバ２２は不要になる。
また、上述の実施形態では、通信端末装置として携帯電話端末装置としたが、本発明は、携帯電話端末装置以外の移動通信端末装置、更には一般の通信端末装置に適用することができるのは勿論である。
また、上述の実施形態では、メールサーバ２０内にＩＭＡＰ４サーバ２１を備える場合を示したが、ＩＭＡＰ４に代えてＰＯＰ３サーバを用いることもできる。この場合は、図１７に示すように、メールサーバ２０に、ＰＯＰ３サーバ２１Ａから取得したメッセージからダイジェスト情報として要求された情報（あるいはメッセージ中のパート）を抽出して携帯電話端末装置６０に送信する代理サーバ２２Ａを設ける。
この代理サーバ２２Ａは、上述の図２に示す構成に加えて、メッセージ解析部２２ｄの解析結果に応じて、要求された情報あるいはメッセージのパートを抽出するパート抽出部２２ｆを備えている。
このように、代理サーバ２２Ａを構成することにより、ＩＭＡＰサーバの代わりにＰＯＰ３サーバを用いても、メッセージの部分（パート）毎に、受信，削除，転送等の操作を行うことができる。
また、上述の実施形態では、メールサーバ２０が受信したメッセージの容量に関わらず、ショートメッセージによって受信通知を送信し、これに応じて携帯電話端末装置６０がダイジェスト情報を取得し、ダイジェスト情報に応じてメッセージの受信を制御するようにしていた。しかしながら、受信したメッセージ全体（あるいはメッセージ本文）のサイズが、ショートメッセージ（受信通知）の上限サイズ以下の場合には、メッセージ全体（あるいはメッセージ本文）をショートメッセージとして携帯電話端末装置６０に供給するようにしてもよい。
この場合、メールサーバ２０は受信したメッセージ全体（あるいはメッセージ本文）がショートメッセージの上限サイズ以下である場合にはＳＭＳＣ３０にメッセージ全体（あるいはメッセージ本文）を供給し、ショートメールとして送信させる。
これにより、ショートメッセージの上限サイズ以下のメッセージについてはダイジェスト情報に応じてメッセージの全体あるいは一部を受信させるといった動作が必要なくなり、トラフィックの低減に寄与することができる。
【産業上の利用可能性】  以上詳細に説明したように、本発明の通信方法及び通信システムは、電子メール等のメッセージ情報の通信サーバ装置を介した通信に適用することができる。
また、本発明の通信端末装置は、電子メール等のメッセージ情報の通信を行う通信端末装置に適用することができる。
また、本発明の通信サーバ装置は、電子メール等のメッセージ情報の通信を行う通信システムにおける通信サーバ装置に適用することができる。
【図１】
2004098137.tif 000003
【図２】
2004098137.tif 000004
【図３】
2004098137.tif 000005
【図４】
2004098137.tif 000006
【図５】
2004098137.tif 000007
【図６】
2004098137.tif 000008
【図７】
2004098137.tif 000009
【図８】
2004098137.tif 000010
【図９】
2004098137.tif 000011
【図１０】
2004098137.tif 000012
【図１１】
2004098137.tif 000013
【図１２】
2004098137.tif 000014
【図１３】
2004098137.tif 000015
【図１４】
2004098137.tif 000016
2004098137.tif 000017
【図１６】
2004098137.tif 000018
【図１７】
2004098137.tif 000019
【国際調査報告】
2004098137.tif 000020
2004098137.tif 000021
2004098137.tif 000022